(57)【特許請求の範囲】
【請求項１】
排水孔を開けた上面部と、上面部の下方に位置する側面部と、側面部の下方に位置する底面部と、を有し、該側面部の一部に開口が設けられる本体部と、
前記本体部に配置可能で、前記本体部に対して可動し取り出し可能な貯水部と、
前記上面部を介して、鉢の荷重を支持する荷重受部と、
を備え、
前記荷重受部は前記底面部に対して垂直に延び出し、前記貯水部の取り出し方向に設けられた壁形状であり、
前記貯水部後部には壁部が内側に入り込んだ形状の長溝が設けられ、前記貯水部が前記本体部に収容された状態において前記荷重受部が前記長溝の内側領域に入り込むことを特徴とする鉢受台。
【請求項２】
前記長溝は、平面視において前記荷重受部に対して形状が適合する、請求項１の鉢受台。
【請求項３】
排水孔を開けた上面部と、上面部の下方に位置する側面部と、側面部の下方に位置する底面部と、を有し、該側面部の一部に開口が設けられる本体部と、
前記本体部に配置可能で、前記本体部に対して可動し取り出し可能な貯水部と、
前記上面部を介して、鉢の荷重を支持する荷重受部と、
を備え、
前記荷重受部は前記底面部に対して垂直に延び出し、前記貯水部の取り出し方向に列設された柱形状であり、
前記貯水部後部には壁部が内側に入り込んだ形状の長溝が設けられ、前記貯水部が前記本体部に収容された状態において前記荷重受部が前記長溝の内側領域に入り込むことを特徴とする鉢受台。
【請求項４】
前記上面部の排水孔に架設され、前記荷重受部の上部を覆う分流板を設け、前記分流板は傾斜面を有し、排水を分流させ前記貯水部へ落とすことを特徴とする、請求項１〜３のいずれかに記載の鉢受台。
【請求項５】
前記荷重受部の上面と前記分流板の下面は当接し、前記分流板の中央が盛り上がっていることを特徴とする、請求項４に記載の鉢受台。
【請求項６】
前記上面部および前記分流板の裏面には、前記排水孔を囲む周設溝を備える、請求項４または５に記載の鉢受台。
【発明の詳細な説明】
【技術分野】
【０００１】
本発明は、鉢植えされた観葉植物等への水やりの際、鉢底から出る排水を簡易に処理ができる鉢受台に関するものである。
【背景技術】
【０００２】
特許文献１は、排水を受けるための水回収トレーを有する水取付植木鉢置台を提案している。特許文献１の鉢置台では、鉢を置くための部位が鉢底を覆う形態で、前記部位の中央には孔と、孔に対応して備えることのできる形態の漏斗型の受け皿が備えられ、水やりをした後に鉢底から出る排水は漏斗型の受け皿を通って、漏斗型の受け皿の下に備えてある水回収トレーへと排水が流れ落ちるというものである。【０００３】
特許文献２では、穴を有する鉢台と、穴に嵌合できる逆円錐形パッキンと、台の下に設けられた排水貯留部を備えた植木鉢台が提案されている。
【先行技術文献】
【特許文献】
【０００４】
【特許文献１】特開２００１−３４６４５１号公報
【特許文献２】国際公開ＷＯ２０１８／１９００４５Ａ１号公報
【発明の概要】
【発明が解決しようとする課題】
【０００５】
しかしながら、特許文献１、２に開示された鉢置台によれば、受皿に重い鉢を置いた場合に、荷重に耐えることができず、受皿が下方に撓んでしまい、不安定となり、使用が困難である。受皿の厚みを厚くし強度を高める対策では、全体に厚みが増大する、寸法が大きくなる等の不都合を生じる。【０００６】
そこで、本発明では、鉢を載せたときの受皿の耐荷重性能を高めて、受皿の撓みを防止する鉢受台を提供することを目的とする。
【課題を解決するための手段】
【０００７】
本発明は上記課題に鑑みてなされたものであり、請求項１の発明は、排水孔を開けた上面部と、上面部の下方に位置する側面部と、側面部の下方に位置する底面部と、を有し、該側面部に開口が設けられる本体部と、前記本体部に配置可能で、前記本体部に対して可動し取り出し可能な貯水部と、前記上面部を介して、鉢の荷重を支持する荷重受部と、を備え、前記荷重受部は前記底面部に対して垂直に延び出し、前記貯水部の取り出し方向に設けられた壁形状であり、前記貯水部後部には壁部が内側に入り込んだ形状の長溝が設けられ、前記貯水部が前記本体部に収容された状態において前記荷重受部が前記長溝の内側領域に入り込むことを特徴とする鉢受台である。「壁形状」は縦板状、リブ状等が含まれる。
【０００８】
鉢から出た排水は排水孔を通って貯水部の中に落ちて貯水される。上面部の下の荷重受部は鉢の荷重を受け止める。貯水部を引き出して、貯水された排水を放出することができる。【０００９】
荷重受部で鉢の荷重を支持することが出来、鉢の重量を問わず排水を受けることができる。構造が簡単になるので、製造コストが低減できる。【００１０】
鉢受台の材質は、天然木、合板材、合成樹脂、陶磁器、ステンレス等の金属等が採用可能である。【００１１】
「上面部」は平面でも曲面でもよいが、上面部は上面部外周から前記排水孔の外周までに、該排水孔の外周に向かって下る傾斜を有することが好ましい。上面部の傾斜は、上面部の外周から始まるのか、もしくは、中間部から上面部の一部が傾斜になっているのか、いずれでもよく、傾斜の存在位置は限定されるものではない。上面部は、側面部と一体でもよいし、別体でもよい。【００１２】
「荷重受部」は厚さ方向、幅方向、高さ方向を有する剛性の有る立体である。「荷重受部」はその上面で、上面部を介して鉢の荷重を受け止める。「荷重受部」は、中央に配置されてもよく、左右に分けて配置されてもよい。鉢は上面部に乗せて、その上面部に鉢の排水を落とす。排水は、上面部から排水孔を通って、下の貯水部に落ちる。上面部を介して鉢の荷重を、荷重受部が支える。【００１３】
請求項２の発明は、前記長溝は、平面視において前記荷重受部に対して形状が適合する、請求項１の鉢受台である。「形状が適合」は相似形状が例示される。「長溝」は貯水部の壁部が内側領域に入り込んだ形状が挙げられる。
【００１４】
請求項３の発明は、排水孔を開けた上面部と、上面部の下方に位置する側面部と、側面部の下方に位置する底面部と、を有し、該側面部の一部に開口が設けられる本体部と、前記本体部に配置可能で、前記本体部に対して可動し取り出し可能な貯水部と、前記上面部を介して、鉢の荷重を支持する荷重受部と、を備え、前記荷重受部は前記底面部に対して垂直に延び出し、前記貯水部の取り出し方向に列設された柱形状であり、前記貯水部後部には壁部が内側に入り込んだ形状の長溝が設けられ、前記貯水部が前記本体部に収容された状態において前記荷重受部が前記長溝の内側領域に入り込むことを特徴とする鉢受台である。「柱形状」は、丸柱、角柱のいずれも含まれ、間隔を置いて複数設けることが好ましい。
【００１５】
請求項４の発明は、前記上面部の排水孔に架設され、前記荷重受部の上部を覆う分流板を設け、前記分流板は傾斜面を有し、排水を分流させ前記貯水部へ落とすことを特徴とする、請求項１〜３のいずれかに記載の鉢受台である。分流板は上面部の排水孔を複数に分け、中央が盛り上がっているものが好ましい。「複数」であるので、２以上の排水孔を含む。「中央」は板方向又は幅方向の中央のいずれも含まれるが、板方向の中央であることが好ましい。荷重受部の上面と、分流板の下面とは、当接しても、当接しなくてもよく、また、鉢の荷重がかかったときだけ上面部が僅かにしなって当接する構成としてもよいが、当接する場合、荷重受部は、分流板を介しても鉢の荷重を支持することができる。このように、分流板を介して鉢の荷重を荷重受部が受けることもあるが、分流板は、梁としての役割を持たせることができ、上面部の変形を小さくし、上面部の形状を安定させる役割をしている。分流板の裏に梁を設けるとよい。分流板がない状態では、重い鉢の場合において上面部がしなってしまい、貯水部の動きに差支えが出るおそれがある。また、分流板は、水分け機能、覆い機能も備える。分流板の下にもリブなどの補強材を設けてもよい。
【００１６】
請求項５の発明は、前記荷重受部の上面と前記分流板の下面は当接し、前記分流板の中央が盛り上がっていることを特徴とする、請求項４に記載の鉢受台である。
【００１７】
請求項６の発明は、前記上面部および前記分流板の裏面には、前記排水孔を囲む周設溝を備える、請求項４または５に記載の鉢受台である。
【発明の効果】
【００２１】
請求項１の発明によれば、荷重受部で鉢の荷重を支持することが出来、鉢の重量を問わず排水を受けることができる。構造が簡単になるので、製造コストを低減できる。【００２２】
請求項２の発明によれば、簡単な構造で、荷重受部を構成できる。【００２３】
請求項３の発明によれば、鉢底孔からの排水を分流板で分流させて下方に流すことができる。分流板で荷重受部を覆うので、上面部の裏面や荷重受部を伝っての水漏れが防止できる。【００２４】
請求項４の発明によれば、荷重受部の耐荷重性が高くなる。【００２５】
請求項５の発明によれば、貯水部が荷重受部と干渉することを回避でき、本体部の内部空間の適切な部位に配置でき、配置効率が高くなる。【００２６】
請求項６の発明によれば、本体部から貯水部を引き出した状態であっても、鉢からの排水を受けることが出来る。
【図面の簡単な説明】
【００２７】
【図１】本発明実施形態１の鉢受台の斜視図である。
【図２】（ａ）は図１のII-II線での断面図、（ｂ）は本発明実施形態１の鉢受台の内部を示す斜視図である。
【図３】本発明実施形態１の鉢受台の貯水部を引き出した状態の斜視図である。
【図４】（ａ）は本発明実施形態１の本体部と貯水部（引き出した状態）の斜視図、（ｂ）は同じく平面図である。
【図５】（ａ）は本発明実施形態１の本体部と貯水部（収納した状態）の斜視図、（ｂ）は同じく平面図である。
【図６】（ａ）は本発明実施形態１の鉢受台から貯水部を除去した状態の斜視図、（ｂ）は同じく別の角度からの斜視図である。
【図７】（ａ）、（ｂ）は、本発明実施形態１の上面部の斜視図、（ｃ）は同じく上面部の裏面図である。
【図８】本発明実施形態１の本体部の斜視図である。
【図９】（ａ）は本発明実施形態１の貯水部の斜視図、（ｂ）は同じく平面図である。
【図１０】本発明実施形態１の鉢受台の使用状態１の参考断面図である。
【図１１】本発明実施形態１の鉢受台の使用状態２の参考断面図である。
【図１２】本発明実施形態２の鉢受台の本体部を示す斜視図である。
【図１３】（ａ）は、本発明実施形態３の鉢受台の上面部の斜視図、（ｂ）は、本発明実施形態３の鉢受台の水の流れを示す参考断面図である。
【図１４】本発明実施形態３の鉢受台において漏水が生じる場合の水の流れを示す参考断面図である。
【図１５】本発明実施形態３の鉢受台の排水孔と荷重受部の距離の関係を示す断面斜視図である。
【図１６】（ａ）は、本発明実施形態４の鉢受台の本体部の斜視図、（ｂ）は、同実施形態の排水孔と荷重受部の距離の関係を示す平面図である。
【発明を実施するための形態】
【００２８】
以下、図面を参照しながら、本発明の実施形態１の鉢受台１について図１〜図１１を参照して説明する。
【００２９】
鉢受台１は、排水孔２（以下、孔２という。）を開けた上面部３と、上面部３を支持し、上方が開放される空間４３を有する側面部４２と、側面部４２と接続する底面部４１と、を有し、側面部４２の一部に開口４４が設けられ、内側にリブ４５を設けられた、本体部４と、開口４４に対して横方向にスライドし、空間４３に収容したり、引き出したりできる貯水部５と、空間４３において底面部４１から延び出す立壁状の荷重受部６（以下、受部６という。）を備えている。以下、各構成を詳細に説明する。
【００３０】
上面部３は擂鉢状の曲面である。上面部３の外周から孔２の外周まで、内側に向かって下り傾斜となっている。上面部３の傾斜の程度は、排出効率等を考慮して、２〜６度が好ましい。
【００３１】
上面部３の孔２を複数（例えば２つ）に分割する分流板３１（以下、板３１という。）を横方向に設けている。板３１の板方向の中央が盛り上がっていて、板３１が受部６の上部を覆うように配置される。板３１は上面部３に排水が溜まらないよう、頂面から孔２に下った傾斜面を有する。上面部３及び板３１の裏面には、図７（ｃ）に示す通り、孔２を囲む半月状の周設溝３２が設けてある。周設溝３２は、排水が上面部３の裏面を伝って貯水部５の外部に流れ出ないよう、排水を貯水部５の中に落とす。
【００３２】
本体部４は、有底の球状体から、上部を切り取った形状である。
【００３３】
本体部４は単体で利用できるほか、キャビネットやブックケースなど、家具の一部としたり、キャスターを備えたりなど、本体部４の形態は様々に取り得る。
【００３４】
受部６は、本体部４内部にあり、貯水部５の取り出し方向Ｈ（図４参照）に延び出し、底面部４１の中央から垂直に延び出す。受部６の上面は水平面であり、上面部３の下面と接し、上面部３を介して、鉢８の荷重を受け止め、支える。受部６は長さ方向、幅方向、高さ方向を有するリブである。受部６は径を有する所定高さの柱でもよい。受部６の厚みが、側面部４２の厚みより、２〜１１倍に大きく設定され、耐荷重性能が高められている。受部６は先端６１が自由端であり、基部６２は厚みが増加している。
【００３５】
図４に示す通り、貯水部５の長溝５１が受部６と相互に嵌合可能である。長溝５１は受部６と形状が適合し、Ｕ字形状の相似形状である。長溝５１は貯水部５の内側に入り込んでいる壁部であり、受部６が長溝５１の内側領域に入り込む。この構成により、貯水部５が受部６に干渉せず、本体部４内に収まる。また、貯水部５のスライドの動きが良好となる。貯水部５の正面には、取手を取り付けるための穴部５２を設けている。貯水部５の入口側は応力が発生する真下に支柱がないので、上面部３は下方向に曲げのモーメントが発生する。板３１に梁の機能を持たせることで、上面部３の剛性を高め、撓みを小さくさせる。
【００３６】
受部６は１個に限らず、２個以上を備えることもある。上面部３及び鉢８の重量は、側面部４２の上面、及び、受部６の上面で支持される。
【００３７】
底面部４１の上面に凹溝７が設けられる。凹溝７は底面部４１の上面よりも凹んだ形状である。凹溝７は、貯水部５が排水の処理のため引き出されたときに、予備として排水を貯水するため、本体部４の内部に備えられている。
【００３８】
鉢受台１の使用方法を述べる。図１０、図１１の１点鎖線は排水の流れを示している。鉢８，９の鉢底孔８ａやスリット９ａから出た排水は上面部３の表面へと流れ落ち、上面部３の孔２を通って、本体部４内に備える貯水部５の中に落ち貯水される。上面部３に排水が残らないように、上面部３および上面部３の板３１は、傾斜を有する構造となっている。
【００３９】
図１０に示す通り、鉢８に鉢底孔８ａを備えることが一般的である。図１１で示したように鉢９の底の外周にスリット９ａを入れたものの他、様々な孔の形態を備えるものにも適用できる。鉢８，９の鉢底面が上面部３の外周の範囲以内に収まる範囲であれば、様々な鉢の排水孔に対応することができる。
【００４０】
鉢８を上面部３に載置すると、鉢８の荷重が上面部３に加わり、上面部３に加わる荷重を受部６の上面で受け止める。上面部３の裏面に排水が伝っても、周設溝３２がブロックし、下側に落下させる。鉢８に潅水をすると、鉢８の鉢底孔８ａからの排水は、上面部３を通り、孔２と板３１を介して、貯水部５の中に落ちて貯水部５に貯水される。鉢の大きさ、鉢８内の土砂等の性質を考察し、適宜、貯水部５へ溜まる様子を観察しながら、貯水部５を引き出して、貯水された排水を捨てる。貯水部５を引き出した状態でも排水は、凹溝７に貯水できる。
【００４１】
以上説明した実施形態１の鉢受台１によれば、次の効果がある。
【００４２】
受部６で鉢８の荷重を支持することが出来、鉢８の重量を問わず排水を受けることができる。鉢受台１の構造が簡単になるので、製造コストが低減できる。
【００４３】
鉢底孔８ａからの排水を板３１で分流させて下方に流すことができる。板３１で受部６を覆い、周設溝３２を設けたので、上面部３の裏面や受部６を伝っての水漏れが防止できる。
【００４４】
本体部４から貯水部５を引き出した状態であっても、鉢８からの排水を凹溝７に受けることができ、貯水効果が高くなる。
【００４５】
受部６が側面部４２よりも厚いので、受部６の耐荷重性が高くなる。
【００４６】
貯水部５が受部６と干渉することを回避でき、本体部４の内部空間の適切な部位に配置でき、配置効率が高くなる。
【００４７】
実施形態２の鉢受台２０１について図１２を参照して説明する。鉢受台２０１は、壁形状の受部６を、柱形状の受部２０６に変更したものであり、その他の構成は実施形態１と同様である。受部２０６は円柱形状であって、複数が取り出し方向Ｈに列設されている。
【００４８】
実施形態３の鉢受台３０１について図１３〜図１５を参照して説明する。鉢受台３０１は、実施形態１において下面が平坦であった上面部３を、上面部３０３の外周部、孔３０２の外周部（板３３１の外周部、裏面を含む）、リブ部、以外の下面が上方に向かって凹んだ形状の上面部３０３に変更したものであり、その他の構成は実施形態１と同様である。実施形態１と対応する部材については、３００番台の符号を付すこととする。
【００４９】
実施形態１においては、上面部３の下面が平坦であったため、排水が上面部３の裏面を伝って貯水部５の外部に流れ出ないように、周設溝３２を設けていたが、実施形態３においては、図１３（ａ）に示すように、上面部３０３が、外周部、孔３０２の外周部、リブ部以外を残して、上方に向かって凹んだ形状であるため、排水の流れは、図１３（ｂ）の流れ７００〜７０３で示すようになり、周設溝を設けなくても貯水部３０５に貯水される。排水が上面部３０３の裏面Ｂ−１０１を伝った場合にも、流れ７０１、７０３のように、裏面Ｂ−１０１が途切れるところで排水が下に落ちるからである。
【００５０】
ただし、図１４に示すように、孔３０２の外周部のうちで受部３０６と最短距離になる箇所（図１４においては板３３１の端部）と、受部３０６とが近接していると、流れ８００のように板３３１の裏面Ｂ−１０１を伝った排水の一部が、受部３０６の外側面Ｄ−１００と貯水部３０５の外周壁外面Ｃ−１０１の間を伝って、貯水部３０５から零れ、漏水９００となってしまう。漏水９００は凹溝３０７に貯水される。
【００５１】
適切に水を貯水部５の内部に落とすためには、図１５に示す距離Ｍを、５ｍｍ以上、好ましくは、１０ｍｍ以上、例えば、１６ｍｍ離せばよい。距離Ｍは、受部３０６と、孔３０２の外周のうちで受部３０６に最も近い地点との距離であり、図１５においては、地点Ｘと地点Ｙの間の距離である。距離Ｍの最大値は、上面部３０３の半径より小さいことは言うまでもないが、その他に特に制限はなく、孔３０２および上面部３０３のサイズを考慮して適宜選択可能である。なお、リブ部を伝った排水が貯水部３０５から零れないように、図１５に示すような周設溝３３２を追加してもよい。以上のように、孔３０２と受部３０６との間に距離をとったり、上面部３０３の裏面に凹凸を設けたりすることにより、排水が上面部３０３の裏面を伝って貯水部から零れることがなくなる。
【００５２】
実施形態４の鉢受台４０１について図１６を参照して説明する。実施形態４の鉢受台４０１は、本体部４０４が直方体形状で、受部４０６が左右２箇所に分けて設けられ、分流板を備えない構成となっている。実施形態４のような、受部４０６が左右２箇所に分けられた実施形態においても、実施形態３のように、上面部４０３が、上面部４０３の外周部、孔４０２の外周部、リブ部以外の下面が上方に向かって凹んだ形状である場合は、孔４０２の外周部と受部４０６の最短距離Ｍ（図１６（ｂ）参照）を５ｍｍ以上、好ましくは、１０ｍｍ以上、例えば、１６ｍｍ離すことにより、貯水部５０５（図示略）の外への漏水を防ぐことができる。貯水部の図示及びを説明は実施形態１〜３を援用し、省略する。
【００５３】
本発明の実施形態は、上述した実施形態に限定されるものではない。本発明の技術的思想を逸脱しない範囲において、改良、変更、追加等を加えることができる。それらの改変、均等物等も本発明の技術的範囲に含まれる。
【符号の説明】
【００５４】
１、２０１、３０１、４０１  鉢受台
２  排水孔
３  上面部
３１  分流板
３２  周設溝
４  本体部
４１  底面部
４２  側面部
４３  空間
４４  開口
４５  リブ
５  貯水部
５１  長溝
５２  穴部
６  荷重受部
７  凹溝
８、９  鉢
【要約】
簡易に利用でき、漏水することなく排水を受けることができ、製造コストを下げ、排水の処理が簡単である鉢受台を提供する。
鉢受台１は、排水孔２を開けた上面部３と、上面部３を支持し、上方が開放される空間４３を有する側面部４２と、側面部４２と接続する底面部４１と、を有し、側面部４２の一部に開口４４が設けられ、内側にリブ４５を設けられた、本体部４と、開口４４に対して横方向にスライドし、空間４３に収容したり、引き出したりできる貯水部５と、空間４３において底面部４１から延び出す立壁状の荷重受部６を備えている。【図１】
0006701474.tif 000002
【図２】
0006701474.tif 000003
【図３】
0006701474.tif 000004
【図４】
0006701474.tif 000005
【図５】
0006701474.tif 000006
【図６】
0006701474.tif 000007
【図７】
0006701474.tif 000008
【図８】
0006701474.tif 000009
【図９】
0006701474.tif 000010
【図１０】
0006701474.tif 000011
【図１１】
0006701474.tif 000012
【図１２】
0006701474.tif 000013
【図１３】
0006701474.tif 000014
【図１４】
0006701474.tif 000015
【図１５】
0006701474.tif 000016
【図１６】
0006701474.tif 000017